(57)【要約】【課題】装置内の各種部品が光源の熱によりダメージを受けるのを抑制することができる画像投射装置を提供する。【解決手段】放電ランプ２１などの光源を用いて画像を投射するプロジェクタ１などの画像投射装置は、光源を冷却するための光源ファン６２などの冷却ファンを備えている。また、光源ファン６２のファン流出口６２ａ近傍に風量スイッチ７０が設けられている。風量スイッチ７０は、光源ファン６２のファン流出口６２ａに揺動可能に設けられた揺動電極７１と、固定電極７２とを有している。光源ファン６２の駆動が停止しているとき、揺動電極７１は、固定電極７２から離間しており、光源ファン６２が駆動すると、光源ファン６２の風圧により揺動電極７１が揺動して固定電極７２に接触する。【選択図】図９
2016020954.tif 000002
【特許請求の範囲】
【請求項１】
光源と、
前記光源を冷却するための冷却ファンとを備え、前記光源の光を用いて画像を投射する画像投射装置において、
前記冷却ファンからの風により、前記光源を点灯不能な状態から点灯可能な状態に切り替えるスイッチを備えることを特徴とする画像投射装置。
【請求項２】
請求項１に記載の画像投射装置において、
前記スイッチは、電源から前記光源に電力を供給して前記光源を点灯させる光源駆動回路に設けられており、
前記スイッチは、前記冷却ファンからの風により、前記光源への電力供給不能な状態から、前記光源への電力供給可能な状態に切り替えることを特徴とする画像投射装置。
【請求項３】
請求項１に記載の画像投射装置において、
前記光源は放電部を有しており、
前記冷却ファンにより取り込まれた空気が、前記放電部に流れるように構成し、
前記スイッチを、前記放電部に設け、
前記スイッチは、前記放電部への通電を接続／切断することを特徴とする画像投射装置。
【請求項４】
請求項１乃至３いずれかに記載の画像投射装置において、
前記スイッチは、前記冷却ファンの風により揺動する揺動電極と、固定電極とを備え、
前記揺動電極は、前記冷却ファンの風により、固定電極から離間する離間位置から前記固定電極と接触する接触位置へ揺動することを特徴とする画像投射装置。
【請求項５】
請求項１乃至３いずれかに記載の画像投射装置において、
前記スイッチは、固定電極と、該固定電極よりも風上に配置され、該固定電極に対して所定の隙間を有して対向する対向電極と、該対向電極に固定され、前記冷却ファンの風を受ける受風部とを有し、
前記受風部が前記冷却ファンの風を受けると、前記対向電極が移動して前記固定電極と接触することを特徴とする画像投射装置。
【発明の詳細な説明】
【技術分野】
【０００１】
本発明は、プロジェクタなどの画像投射装置に関するものである。
【背景技術】
【０００２】
従来から、パソコンやビデオカメラ等からの画像データを基に、光源から出射される光を用いて画像形成部により画像を形成し、その画像をスクリーン等に投射して表示する画像投射装置が知られている。
【０００３】
特許文献１には、冷却ファンにより光源に空気を送り、光源を空冷する画像投射装置が記載されている。また、この特許文献１に記載の画像投射装置には、光源が点灯しているか否かをフォトダイオードで検知し、その検知結果を冷却ファンを制御するファン制御回路に入力する。ファン制御回路は、この検知結果に基づいて冷却ファンの制御を行っている。具体的には、フォトダイオードが光源から光を検知したときは、ファン制御回路は冷却ファンを回転させ光源を空冷する。一方、フォトダイオードが光源からの光を検知していないときは、ファン制御回路は冷却ファンの回転を停止するのである。
【発明の概要】
【発明が解決しようとする課題】
【０００４】
しかしながら、特許文献１に記載の画像投射装置においては、メイン基板が故障し、メイン基板に組み込まれたファン制御回路が正常に動作せず、フォトダイオードが光源の点灯を検知しているにも係わらず、冷却ファンの回転が停止し、光源が空冷されなくなってしまうおそれがある。その結果、光源や光源の周囲が高温となってしまい、画像投射装置の各種部品が熱的ダメージを受けてしまうという課題があった。
【０００５】
本発明は以上の課題に鑑みなされたものであり、その目的は、装置内の各種部品が光源の熱によりダメージを受けるのを抑制することができる画像投射装置を提供することである。
【課題を解決するための手段】
【０００６】
上記目的を達成するために、請求項１の発明は、光源と、前記光源を冷却するための冷却ファンとを備え、前記光源の光を用いて画像を投射する画像投射装置において、前記冷却ファンからの風により、前記光源を点灯不能な状態から点灯可能な状態に切り替えるスイッチを備えることを特徴とするものである。
【発明の効果】
【０００７】
本発明によれば、装置内の各種部品が光源の熱によりダメージを受けてしまうのを抑制することができる。
【図面の簡単な説明】
【０００８】
【図１】本実施形態に係るプロジェクタを示す斜視図。
【図２】同プロジェクタを示す右側面図。
【図３】（ａ）外装カバーを外した同プロジェクタの内部構成と配置を示す斜視図、（ｂ）は（ａ）の太線枠で囲まれた部分の斜視図。
【図４】外装カバーを外した同プロジェクタの内部構成を示す横断面図。
【図５】同プロジェクタの光源ユニットを示す概略構成図。
【図６】同プロジェクタにおける吸気から排気の流れについて説明する図。
【図７】放電ランプ付近の空気の流れについて説明する図。
【図８】同プロジェクタの制御ブロック図。
【図９】実施例１における風量スイッチの周辺を示す斜視図。
【図１０】実施例１の制御ブロック図。
【図１１】実施例２における風量スイッチの周辺を示す斜視図。
【図１２】実施例２の制御ブロック図。
【図１３】風量スイッチの変形例を示す斜視図。
【発明を実施するための形態】
【０００９】
以下、本発明が適用される画像投射装置としてのプロジェクタ１の実施形態（以下、実施形態１という）について説明する。
図１は、本実施形態１に係るプロジェクタ１を示す斜視図である。図２は右側面図である。図１及び図２に示すように、プロジェクタ１の上面には、ユーザがプロジェクタ１を操作するための操作ボタン等の操作部１１が設けられている。また、スクリーン２００に映し出されている投射画面を拡大したり、縮小したりするズームレバー１２が設けられている。プロジェクタ１の正面には、装置電源のオン／オフを行う電源スイッチ１３、パソコンやビデオカメラ等の外部機器と接続するための外部入力端子１４、投射画像の光を出射する投射レンズ１５、装置環境の照度を検出するセンサ１６などが設けられている。プロジェクタ１の正面には、排気口１８が設けられている。プロジェクタ１における外装カバーの右側面には、冷却用の空気を取り入れる吸気口１７が設けられている。
【００１０】
図１に示す１ａは、光源蓋である。この光源蓋１ａを取り外すと、後述する放電ランプを保持する光源ホルダ２が露出する。ユーザーは、この露出した光源ホルダ２を掴んで持ち上げることにより、光源ホルダ２と放電ランプとを有する光源ユニット２０ａがプロジェクタ１から取り外される。
【００１１】
図３（ａ）は外装カバーを外したプロジェクタ１の内部構成と配置を示す斜視図、図３（ｂ）は図３（ａ）の太線枠で囲まれた部分の斜視図である。図４は、投影機構部を構成する光源部、画像生成部、及び投射光学部の横断面図である。
図３、図４に示すように、プロジェクタ１は、ハロゲンランプ、メタルハライドランプ、高圧水銀ランプなど放電ランプ２１を備える光源部２０を備えている。また、放電ランプ２１からの光を用いて画像を生成する画像生成部３０、投射画像を出射する投射光学部４０を備えている。光源部２０は、放電ランプ２１を有する光源ユニット２０ａと、カラーホイール２２、ライトトンネル２３、２枚のリレーレンズ２４を有する画像照明光学系２０ｂとで構成されている。そして、放電ランプ２１からの光は、図４の矢印で示すように、回転するカラーホイール２２を通ることにより時分割でＲ、Ｇ、Ｂの光に分離される。このカラーホイール２２は、円盤形状のものであり、ホイールモータ２５のモータ軸に固定され、回転方向にＲ（レッド）、Ｇ（グリーン）、Ｂ（ブルー）などのフィルタが設けられている。カラーホイール２２により分離された光は、ライトトンネル２３へ入射する。ライトトンネル２３は、四角筒形状であり、その内周面が鏡面となっている。ライトトンネル２３に入射した光は、ライトトンネル２３の内周の鏡面で複数回反射しながら、均一な面光源にされて２枚のリレーレンズ２４へ向けて出射する。図４の矢印で示すように、２枚のリレーレンズ２４を透過し、次段の画像生成部３０の平面ミラー３１、凹面ミラー３２により反射され、画像表示素子たるＤＭＤ３３の画像生成面上に集光して結像される。
【００１２】
ここで、ＤＭＤ３３の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、光源部２０の放電ランプ２１からの光を投射光学部４０の投射レンズに向けて反射する。「ＯＦＦ」のときは、照明ブラケットなどの側面に保持されたＯＦＦ光板（不図示）に向けて放電ランプ２１からの光を反射する。従って、各ミラーを個別に駆動することにより、画像データの画素ごとに光の投射を制御することができ、画像を生成することができる。なお、ＯＦＦ光板（不図示）に向けて反射された光は、熱となって吸収され外側の空気の流れで冷却される。
【００１３】
図１に示すプロジェクタ１は、パソコンやビデオカメラ等から入力される映像データを基に映像を生成し、その映像を図２の投射面としてのスクリーン２００等に投射表示する。プロジェクタ１として広く知られた液晶プロジェクタは、近来、液晶パネルの高解像化、光源ランプの高効率化に伴う明るさの改善、低価格化などが進んでいる。また、画像表示素子であるＤＭＤを利用した小型で、軽量なプロジェクタ１が普及し、オフィスや学校のみならず家庭においても広く利用されるようになってきている。放電ランプ２１からの光が、光源部２０内で、照射された白色光をカラーホイール２２によってＲＧＢに分光されて、画像生成部３０のＤＭＤ３３へ導かれ、変調信号に応じて画像形成するＤＭＤ３３とその画像を投射光学部４０で拡大投射する。
【００１４】
図５は、光源ユニット２０ａを示す概略構成図である。
放電ランプ２１は、高圧の気体を閉じ込めた発光部２０１ｃを有する放電管２０１を備えている。放電管内には、図中左右方向に延びる第１電極２０１ａと第２電極２０１ｂとが配置されている。放電管中央部に設けられた発光部２０１ｃ内で、第１電極２０１ａの一端が、第２電極２０１ｂの一端と対向するように配置されており、各電極の他端が放電管２０１から露出している。第１電極２０１ａの他端は、放電管２０１における放電ランプ２１の光出射側から露出しており、第２電極２０１ｂは、放電管２０１における放電ランプ２１の非光出射側から露出している。第１電極２０１ａの他端には、第１導電線２０２の一端が接続されており、他端がバラストユニット５２のランプ駆動電源回路５２ａ（図８参照）に接続された第１端子２０６に接続されている。また、第２電極２０１ｂの他端には、第２導電線２０４の一端が接続されており、他端が装置内のランプ駆動電源回路５２ａ（図８参照）に接続された第２端子２０５に接続されている。また、放電ランプ２１には、発光部２０１ｃが発した光を反射する反射部材としてのリフレクタ２０３を有している。
【００１５】
放電ランプ２１は、遮蔽部材としての光源ホルダ２に保持されている。光源ホルダ２は、リフレクタ２０３が保持される遮蔽部２ａを有している。遮蔽部２ａの略中央部には、放電ランプ２１から出射した光を通過させるための開口を有し、その開口には、ガラス板３が嵌め込まれている。放電ランプ２１の発光部２０１ｃから出射した光は、リフレクタ２０３により遮蔽部２ａの開口に集光され、開口から出射する。
【００１６】
また、光源ホルダ２には、位置決め突起２ｂと、位置決め穴２ｃとが設けられている。位置決め突起２ｂは、遮蔽部２ａの下部に設けられており、位置決め穴２ｃは、光源ホルダの上面部２ｄ設けられている。位置決め突起２ｂは、ライトトンネル２３などを保持する照明ブラケット４に設けられた位置決め穴４ｂに嵌り、位置決め穴２ｃには、照明ブラケット４の位置決め突起４ａが嵌る。これにより、光源ホルダ２を介して放電ランプ２１が照明ブラケット４に位置決めされる。
【００１７】
また、光源ホルダ２には、段付きネジ５が貫通する貫通穴２ｅが設けられている。段付きネジ５を、この貫通穴２ｅに貫通させて、照明ブラケット４に設けられたネジ穴に段付きネジ５を螺合することにより、光源ホルダ２が照明ブラケット４に締結される。
【００１８】
図６は、プロジェクタ１における吸気から排気の流れについて説明する図である。
図６に示すように、装置内部には、吸気口１７と対向するように吸気ファン６１が設けられている。また、放電管２０１へ冷却用の空気を送る冷却ファンとしての光源ファン６２と、排気口１８から装置内の空気を排気する２つの排気ファン６３ａ,６３ｂとを備えている。
【００１９】
図６に示すように、吸気ファン６１により吸気口１７から取り入れられた冷却用の空気は、吸気ファン６１から光源ファン６２までの空気の流路上に配置された電源ユニット５１を冷却する。その後、一部は、光源ファン６２により吸気されて放電管２０１へ流れ、残りは、電源ユニット５１に対向配置された放電ランプ２１に安定した電力（電流）を供給するためのバラストユニット５２へ流れる。
【００２０】
図７は、放電ランプ２１付近の空気の流れについて説明する図である。
図７に示すように、光源ファン６２により取り入れられた空気は、光源ホルダ２の遮蔽部２ａに設けられた流入口２１０ａを通って、リフレクタ２０３と遮蔽部２ａとにより囲われた空間へと流れ込む。そして、放電管２０１を冷却したのち、遮蔽部２ａに設けられた流出口２１０ｂを通って、排気ファン６３ａにより排気口１８から排気される。また、光源ファン６２により取り入れられた空気の一部は、リフレクタ２０３の背面を流れ、リフレクタ２０３を冷却する。その後、光源ユニット２０ａを収納する光源ハウジング２１１に設けられた流出口２１１ｂを通って、排気ファン６３ｂにより排気口１８から排気される。
【００２１】
また、先の図６に示したバラストユニット５２へ流れた吸気ファン６１により吸気口１７から取り入れられた冷却用の空気は、バラストユニット５２を冷却した後、光源ハウジング２１１の流入口２１１ａへと流れる。そして、光源ユニット２０ａを冷却した後、光源ハウジング２１１の流出口２１１ｂを通って、排気ファン６３ｂにより排気口１８から排気される。
【００２２】
図８は、プロジェクタ１の制御ブロック図である。図中の細い矢印は電気の流れを、太い矢印は風の流れをそれぞれ示している。
図９に示すように、電源ユニット５１には、電源ケーブル５３から供給された交流電圧を直流電圧に変換するなどして、制御部１００などに所定の電圧を供給するための電源回路５１ａを有している。バラストユニット５２には、放電ランプ２１に安定した電力（電流）が供給されるよう制御するランプ駆動電源回路５２ａを有している。また、画像照明光学系２０ｂには、ホイールモータ２５（図３参照）の駆動を制御するための画像照明光学系駆動回路１０１が設けられている。
【００２３】
制御部１００は、演算手段たるＣＰＵ（Ｃｅｎｔｒａｌ  Ｐｒｏｃｅｓｓｉｎｇ  Ｕｎｉｔ）、記憶手段たるＲＡＭ（Ｒａｎｄｏｍ  Ａｃｃｅｓｓ  Ｍｅｍｏｒｙ）、ＲＡＭ（Ｒｅａｄ  Ｏｎｌｙ  Ｍｅｍｏｒｙ）などを有している。プロジェクタ全体の制御を司る制御部１００には、様々な構成機器が通信可能に電気的に接続されている。制御部１００は、吸気ファン６１、光源ファン６２、各排気ファン６３ａ，６３ｂの駆動を制御している。具体的には、吸気ファン６１、光源ファン６２および各排気ファン６３ａ，６３ｂには、それぞれ回転数を検知する回転数検知センサが設けられている。制御部１００は、これらの回転数検知センサの検知結果に基づいて、設定回転数となるように、吸気ファン６１、光源ファン６２および各排気ファン６３ａ，６３ｂの駆動を制御している。
【００２４】
また、制御部１００は、パソコンやビデオカメラ等の外部機器から外部入力端子１４（図１参照）を介して入力された画像データに基づいて変調信号を生成し、画像表示素子たるＤＭＤ３３へ出力する。また、制御部１００は、カラーホイール２２による色分離のタイミングとＤＭＤ３３による光変調のタイミングとが同期するよう、画像照明光学系駆動回路１０１とＤＭＤ３３とを制御する。
【００２５】
また、制御部１００は、ランプ駆動電源回路５２ａを制御して、放電ランプ２１の点灯を制御する。ランプ駆動電源回路５２ａは、制御部１００から点灯信号を受信した場合は、放電ランプ２１に電圧を供給し、制御部１００から消灯信号を受信したときは、放電ランプ２１への電圧供給を停止する。
【００２６】
また、制御部１００は、ランプ駆動電源回路５２ａを制御して、放電ランプ２１の発光光量（明るさ）も制御する。放電ランプ２１の発光光量（明るさ）の制御とは、投影する画像の色によって、放電ランプ２１の明るさを調整する制御である。放電ランプ２１が、交流点灯型の場合は、制御部１００は、ランプ駆動電源回路５２ａを制御して、カラーホイール２２による色分離のタイミングに同期させて、放電ランプに印加する交流電流の波形の振幅を変化させるのである。放電ランプ２１が、直流点灯型の場合は、制御部１００は、ランプ駆動電源回路５２ａを制御して、カラーホイール２２による色分離のタイミングに同期させて、放電ランプ２１に印加する電圧（電流）の値を制御する。
【００２７】
通常においては、制御部１００は、放電ランプ２１を点灯させるときに、光源ファン６２の駆動を開始し、放電ランプ２１を空冷するよう制御する。そして、放電ランプ２１が点灯中は、光源ファン６２を駆動させ続け放電ランプ２１を空冷し続けるよう制御する。放電ランプ２１が消灯した後も、一定時間光源ファン６２を駆動させて、放電ランプ２１を十分に空冷してから光源ファン６２の駆動を停止するようを制御する。しかし、例えば、制御部１００の光源ファン６２の駆動を制御するファン制御回路や、光源ファン６２が故障すると、光源ファン６２が放電ランプ２１点灯中に駆動停止してしまうおそれがある。
【００２８】
光源ファン６２の駆動が停止しても、放電ランプ２１が点灯し続けると、装置内の温度が上昇し、放電ランプ２１や放電ランプ２１の周囲が高温となってしまい、プロジェクタ内の各種部品が熱的ダメージを受けてしまう。そのため、光源ファン６２の駆動が停止した際は、ファンエラーとして放電ランプ２１を消灯する制御が行われている。しかし、ファンエラーとして放電ランプ２１を消灯する制御を行う制御回路が組み込まれた基板が故障した場合は、ファンエラーを出力できず、放電ランプ２１を消灯する制御を行えない。その結果、光源ファン６２の動作が停止しているにも係わらず、放電ランプ２１が点灯し続けるおそれがある。
【００２９】
このため、自身の温度が所定以上になると、放電ランプ２１への電圧の供給を遮断するサーマルスイッチを設けて、装置内の温度が閾値以上となったら、ランプを強制的に消灯させている。しかしながら、例えば、何かの要因で排気口１８が少しの間塞がれて、ほんの少し装置内の温度が上昇しただけでサーマルスイッチが作動してしまうと、頻繁に放電ランプ２１が強制的に消灯してしまい、利便性の悪い装置になってしまう。そのため、サーマルスイッチの動作温度に余裕をもたせている。光源ファン６２の駆動が停止し、放電ランプ２１が空冷されていないと、放電ランプ２１の周囲が非常に早く温度が上昇する。そのため、サーマルスイッチの動作温度に余裕をもたせると、サーマルスイッチにより放電ランプを強制的に消灯させたときには、光源の周囲が既に非常に高温となっており、光源の周囲の部品が熱的ダメージを受けてしまうおそれがあった。
【００３０】
そこで、本実施形態では、光源ファン６２の風がなくなると、機械的に放電ランプ２１への電圧の供給を遮断する風量スイッチを設けた。以下に実施例を用いて具体的に説明する。
【００３１】
［実施例１］
図９は、実施例１における風量スイッチ７０の周辺を示す斜視図である。
図９に示すように、風量スイッチ７０は、光源ファン６２のファン流出口６２ａ近傍に設けられている。風量スイッチ７０は、光源ファン６２のファン流出口６２ａに揺動可能に設けられた揺動電極７１と、光源ファン６２のファン流出口６２ａの開口面に対して直交する面である上面に設けられた固定電極７２とを有している。揺動電極７１は、板金からなり、光源ファン６２の駆動が停止しているとき、ファン流出口６２ａを塞いでおり、揺動電極７１は、固定電極７２から離間している。
【００３２】
光源ファン６２が駆動を開始し、ファン流出口６２ａから図中矢印方向に空気が流れると、風圧により揺動電極７１の自由端がファン流出口６２ａから離間するように、揺動電極７１が揺動する。そして、揺動電極７１よりも空気の流れ方向下流側に配置された固定電極７２に接触する。これにより、放電ランプ２１への電力（電流）供給が可能となる。一方、光源ファン６２の駆動が停止するとファン流出口６２ａからの空気の流れがなくなる。すると、揺動電極７１に光源ファン６２からうける風圧が無くなり、自重により揺動電極７１の自由端が、固定電極７２から離間するように、揺動電極７１が揺動する。これにより、放電ランプ２１への電圧供給が遮断される。
【００３３】
図１０は、実施例１の制御ブロック図である。
図１０に示すように、風量スイッチ７０の揺動電極７１は、ランプ駆動電源回路５２ａに接続されており、風量スイッチ７０の固定電極７２は、ＡＮＤ回路１０２に接続されている。また、ランプ駆動電源回路５２ａは、ＡＮＤ回路１０２を介して、放電管２０１に接続されている。従って、ＡＮＤ回路１０２に風量スイッチ７０を介した経路および直接の経路の両方から出力があったときのみ、放電管２０１へ電力が供給され、放電ランプ２１が点灯する。
【００３４】
これにより風量スイッチ７０の揺動電極７１が、光源ファン６２から風を受けておらず、揺動電極７１が固定電極７２から離間している場合は、ランプ駆動電源回路５２ａから放電ランプ２１への電力供給ができず、放電ランプ２１は、点灯しない。その結果、光源ファン６２の駆動が停止し、光源ファン６２が放電ランプ２１を空冷していないときに、放電ランプ２１が点灯することがない。これにより、放電ランプ２１の熱により、放電ランプ２１の周囲の部材が高温となるのを抑制することができ、放電ランプ２１の周囲の部材の熱によるダメージを抑制することができる。
【００３５】
また、光源ファン６２からの風がなく、放電ランプ２１が冷却されない状態となった時点で、放電ランプ２１が強制的に消灯する。これにより、放電ランプ２１の周囲の部品が熱的ダメージを受ける前に、放電ランプ２１を消灯させることができる。また、排気口１８が一時的に塞がれ、装置内の温度が一時的上昇しているときでも、光源ファン６２により、放電ランプ２１をしっかりと冷却できているときは、揺動電極７１が固定電極７２に接触しており、放電ランプ２１は、点灯し続ける。これにより、頻繁に放電ランプ２１が強制的に消灯して、投影画像が消えてしまうのを防止することができる。なお、長期間、排気口１８が塞がれて、装置内の温度が所定の温度となったときは、不図示のサーマルスイッチにより、放電ランプ２１を強制的に消灯させる。
【００３６】
また、光源ファン６２の風により揺動電極７１が揺動し、機械的にスイッチのＯＮ／ＯＦＦがなされる。これにより、メイン基板が故障した場合でも、放電ランプ２１を強制的に消灯させることができる。
【００３７】
［実施例２］
図１１は、実施例２における風量スイッチ７０の周辺を示す斜視図であり、図１２は、実施例２における制御ブロック図である。
実施例２においては、風量スイッチ７０を、放電ランプ２１に配置したものである。具体的には、風量スイッチ７０を、放電ランプ２１の第１端子２０６（図５参照）と第１電極２０１ａとの間に配置した。
図１１に示すように、風量スイッチ７０の固定電極７２に第１端子２０６に接続された第１導電線２０２が接続されている。揺動電極７１は、放電管２０１に揺動自在に支持されており、第１電極２０１ａに接続されている。光源ファン６２が停止しており、光源ファン６２の風が、放電管２０１に送り込まれてないときは、揺動電極７１は、固定電極７２から離間しており、第１電極２０１ａへの導通が切断されている。このため、光源ファン６２が停止しているときは、ランプ駆動電源回路５２ａから放電ランプ２１に電力が供給されていても、放電ランプ２１が点灯することがない。
【００３８】
一方、光源ファン６２が駆動し、光源ファン６２から放電管２０１に向けて図中矢印方向に空気が送られると、光源ファン６２の風により揺動電極７１が揺動し、揺動電極７１が固定電極７２に接触する。これにより、第１電極２０１ａがランプ駆動電源回路５２ａと導通し、ランプ駆動電源回路５２ａから放電ランプ２１に電力が供給されると、放電ランプ２１が点灯する。光源ファン６２の駆動が停止すると、自重で揺動電極７１が揺動し、固定電極７２から離間し、第１電極２０１ａへの導通が切断される。これにより、放電ランプ２１に電力が供給されていても、放電ランプ２１は、強制的に消灯される。
【００３９】
この実施例２においても、光源ファン６２の駆動が停止し、光源ファン６２が放電ランプ２１を空冷していないときに、放電ランプ２１が点灯することがない。これにより、放電ランプ２１の熱により、放電ランプ２１の周囲の部材が高温となるのを抑制することができ、放電ランプ２１の周囲の部材の熱によるダメージを抑制することができる。
【００４０】
図１３は、風量スイッチの変形例を示す斜視図である。
この変形例の風量スイッチ７０ａは、第１導電線２０２を、放電管２０１に螺旋状に巻き回して、コイルバネとし第１電極２０１ａに対して、風上側で所定の間隔を開けて対向させた。この第１導電線２０２の先端には、光源ファン６２の風を受ける板状の受風部７３が設けられている。
【００４１】
光源ファン６２が駆動し、光源ファン６２から放電管２０１に向けて図中矢印Ａ方向に空気が送られると、受風部７３が風を受けて、図中矢印Ｂ方向に揺動する。すると、第１導電線２０２が、第１電極２０１ａに接触し、第１電極２０１ａがランプ駆動電源回路５２ａと導通する。これにより、ランプ駆動電源回路５２ａから放電ランプ２１に電力が供給されると、放電ランプ２１が点灯する。一方、光源ファン６２の駆動が停止すると、自重により図中矢印Ｂ方向とは逆方向に受風部７３が揺動し、第１導電線２０２が、第１電極２０１ａから離間する。これにより、第１電極２０１ａへの導通が切断され、放電ランプ２１に電力が供給されていても、放電ランプ２１は、強制的に消灯される。
この変形例の風量スイッチ７０ａは、第１電極２０１ａが、固定電極として機能し、第１導電線２０２が、対向電極として機能する。
【００４２】
以上に説明したものは一例であり、本発明は、以下の態様毎に特有の効果を奏する。
（態様１）
放電ランプ２１などの光源と、光源を冷却するための光源ファン６２などの冷却ファンとを備え、光源の光を用いて画像を投射するプロジェクタ１などの画像投射装置において、冷却ファンからの風により、光源を点灯不能な状態から点灯可能な状態に切り替える風量スイッチ７０などのスイッチを備える。
（態様１）によれば、光源ファン６２などの冷却ファンにより放電ランプ２１などの光源へ風を送り、光源を空冷しているとき、風量スイッチ７０などのスイッチは、冷却ファンの風で点灯可能な状態となっており、光源に電力を供給すると光源が点灯する。一方、冷却ファンが停止すると、スイッチは冷却ファンの風を受けなくなり、点灯可能な状態から点灯不能状態に切り替わり、光源が消灯する。これにより、冷却ファンが停止したときは、光源が確実に消灯し、光源の熱で光源や光源の周囲が高温となるのを抑制することができる。
また、メイン基板に搭載された制御回路（ソフトウェア）で冷却ファンの動作信号（ファンエラー）に基づいて、光源の点灯／消灯制御を行う場合、メイン基板が故障すると、冷却ファンの動作信号を正常に検知できなくなるおそれがあり、冷却ファンが停止しているにも係わらず、光源が点灯し続けるおそれがある。
一方、（態様１）では、メイン基板が故障して、冷却ファンの動作を正常に検知できなくても、冷却ファンが停止した場合は、光源点灯可能状態から点灯不能状態に切り替わり、光源を強制的に消灯させることができる。
【００４３】
（態様２）
（態様１）において、風量スイッチ７０などのスイッチは、電源ユニット５１などの電源から放電ランプ２１などの光源に電力を供給して光源を点灯させるランプ駆動回路などの光源駆動回路に設けられており、スイッチは、冷却ファンからの風により、前記光源への電力供給不能な状態から、前記光源への電力供給可能な状態に切り替える。
これによれば、実施例１で説明したように、光源ファン６２などの冷却ファンの駆動が停止すると、放電ランプ２１などの光源に電力が供給されなくなり、放電ランプ２１を消灯することができる。
【００４４】
（態様３）
（態様１）において、放電ランプ２１などの光源は放電管２０１などの放電部を有しており、光源ファン６２などの冷却ファンにより取り込まれた空気が、前記放電部に流れるように構成し、風量スイッチ７０などのスイッチを、前記放電部に設け、前記スイッチは、前記放電部への通電を接続／切断する。
これによれば、実施例２で説明したように、光源ファン６２などの冷却ファンの駆動が停止すると、放電管２０１などの放電部に電力が供給されなくなり、放電ランプ２１を消灯することができる。
【００４５】
（態様４）
（態様１）乃至（態様３）いずれかにおいて、風量スイッチ７０などのスイッチは、光源ファン６２などの冷却ファンの風により揺動する揺動電極７１と、固定電極７２とを備え、前記揺動電極７１は、前記冷却ファンの風により、固定電極７２から離間する離間位置から前記固定電極７２と接触する接触位置へ揺動する。
これによれば、実施形態で説明したように、光源ファン６２などの冷却ファンが駆動し、揺動電極７１が冷却ファンの風を受けているときは、揺動電極７１が、固定電極７２と接触する接触位置に位置し、放電ランプ２１などの光源が点灯可能となる。一方、冷却ファンの駆動が停止し、揺動電極７１が冷却ファンの風を受けなくなると、揺動電極が、固定電極と接触する接触位置から離間位置へ揺動し、光源が点灯不能となる。これにより、冷却ファンの駆動が停止しているとき、確実に光源を消灯させることができる。
また、電極とは別に、冷却ファンの風を受ける受風部を設けるものに比べて、部品点数を削減することができ、装置のコストダウンを図ることができる。
【００４６】
（態様５）
（態様１）乃至（態様３）いずれかにおいて、スイッチは、第１電極２０１ａなどの固定電極と、固定電極よりも風上に配置され、固定電極に対して所定の隙間を有して対向する第１導電線２０２などの対向電極と、対向電極に固定され、光源ファン６２などの冷却ファンの風を受ける受風部７３とを有し、受風部７３が前記冷却ファンの風を受けると、前記対向電極が移動して前記固定電極と接触することを特徴とする画像投射装置。
これによれば、図１３を用いて説明したように、受風部７３が光源ファン６２などの冷却ファンの風を受けると、受風部７３が風圧で風下へ移動する。すると、第１導電線２０２などの対向電極が移動して、第１電極２０１ａなどの固定電極に接触し、放電ランプ２１などの光源が点灯可能となる。冷却ファンの駆動が停止し、受風部７３が冷却ファンの風を受けなくなると、受風部７３が元の位置に戻り、揺動電極が固定電極から離間し、光源が点灯不能となる。これにより、冷却ファンの駆動が停止しているとき、確実に光源を消灯させることができる。
【符号の説明】
【００４７】
１：プロジェクタ
１７：吸気口
１８：排気口
２０ａ：光源ユニット
２１：放電ランプ
５１：電源ユニット
５１ａ：電源回路
５２：バラストユニット
５２ａ：ランプ駆動電源回路
６１：吸気ファン
６２：光源ファン
６３ａ，６３Ｂ：排気ファン
７０，７０ａ：風量スイッチ
７１：揺動電極
７２：固定電極
７３：受風部
１００：制御部
１０１ 画像照明光学系駆動回路
２０１：放電管
２０１ａ：第１電極
２０１ｃ：発光部
２０１ｂ：第２電極
２０２：第１導電線
２０３：リフレクタ
２０４：第１導電線
【先行技術文献】
【特許文献】
【００４８】
【特許文献１】特開２００２−１５６７０４号公報
【図１】
2016020954.tif 000003
【図２】
2016020954.tif 000004
【図３】
2016020954.tif 000005
【図４】
2016020954.tif 000006
【図５】
2016020954.tif 000007
【図６】
2016020954.tif 000008
【図７】
2016020954.tif 000009
【図８】
2016020954.tif 000010
【図９】
2016020954.tif 000011
【図１０】
2016020954.tif 000012
【図１１】
2016020954.tif 000013
【図１２】
2016020954.tif 000014
【図１３】
2016020954.tif 000015